(57)【要約】【課題】段ボール製ダクトの流路を変化させて、その軽量で断熱性に優れた特性を生かしつつ、多様なダクトルートを構成できる構成部材を提供する。【解決手段】段ボールにアルミ箔をラミネートしたものを材料として用い、基板部材１２２のブランクを折り曲げ、基板１２５から延びる継代片１２５ａ，１２５ｂを介して背板１２３及びコーナー板１２４と接合することにより、他のダクト部材を接続する接続口Ｓを３箇所以上に有する形状に組み立てて、これらの接続口Ｓを連通させたものとし、接続口Ｓに接続したダクト部材の流路を分岐させる。また、種々のブランクを折り曲げて組み立てることにより、流路の断面積や断面形状を変化させることができ、流路を曲げることもできる。【選択図】図４
2008170067.tif 000002
【特許請求の範囲】
【請求項１】
段ボールのブランクを折り曲げて、ダクトの流路を変化させる形状に組み立てた段ボール製ダクトの構成部材。
【請求項２】
前記ダクトの流路を分岐させることを特徴とする請求項１に記載の段ボール製ダクトの構成部材。
【請求項３】
前記ダクトの流路の断面積又は断面形状を変化させることを特徴とする請求項１に記載の段ボール製ダクトの構成部材。
【請求項４】
前記ダクトの流路を曲げることを特徴とする請求項１に記載の段ボール製ダクトの構成部材。
【請求項５】
他のダクト部材の接続口を複数設け、これらを連通させたことを特徴とする請求項１乃至４のいずれか１項に記載の段ボール製ダクトの構成部材。
【請求項６】
前記接続口を、四角形状としたことを特徴とする請求項５に記載の段ボール製ダクトの構成部材。
【請求項７】
前記ブランクを、継代片を介して接合することにより組み立てたことを特徴とする請求項１乃至６のいずれか１項に記載の段ボール製ダクトの構成部材。
【請求項８】
前記ブランクの材料として、段ボールにアルミ箔をラミネートしたものを用いたことを特徴とする請求項１乃至７のいずれか１項に記載の段ボール製ダクトの構成部材。
【発明の詳細な説明】
【技術分野】
【０００１】
この発明は、空調用や換気用等として設置される段ボール製ダクトの構成部材に関するものである。
【背景技術】
【０００２】
一般に、店舗建築等に設置される空調用ダクトには、金属製の筒体に断熱材としてグラスウールを巻き付けたものが使用されているが、このようなダクトは、重く嵩張ることから、施工現場への運搬や建築物への取り付けにコストがかかる。
【０００３】
また、撤去時に金属製の筒体からグラスウールを分離する必要があり、大量の産業廃棄物が発生するという問題もある。
【０００４】
その対策として、軽量で施工性や断熱性に優れ、撤去時の廃棄も容易な段ボール製のダクトが提案されており、下記特許文献１には、段ボールのブランクを罫線沿いに角筒状に折り曲げて形成した直管のダクト部材が記載されている。
【０００５】
また、下記特許文献２には、段ボールではなく、合紙を巻いた円筒状の紙管を使用し、内外の管の間に断熱空間を設けた空調用ダクトの直管の構成部材やその流路の分岐等のための構成部材が記載されている。
【０００６】
【特許文献１】特開２００２−２６７２４５号公報
【特許文献２】特許第２５９０２４５号公報
【発明の開示】
【発明が解決しようとする課題】
【０００７】
しかしながら、上記段ボール製ダクトには、流路を分岐させたり、流路の断面積や断面形状を変化させたり、流路を任意の方向に曲げたりする部材の用意がなく、円筒状で重い紙管製の構成部材は、角筒状で寸法が大きい段ボール製ダクトに適さない。
【０００８】
このため、店舗建築等の大規模建築物に設置される段ボール製ダクトを用いた空調システムは、ダクトルート（配置）が制約されるという問題がある。
【０００９】
そこで、この発明は、段ボール製ダクトの流路を変化させて、その特性を生かしつつ、多様なダクトルートを構成できる構成部材を提供することを課題とする。
【課題を解決するための手段】
【００１０】
上記課題を解決するため、この発明に係る段ボール製ダクトの構成部材は、直管のダクト部材と同様に、段ボールのブランクを折り曲げて、流路を分岐させる形状、流路断面の流れ方向に直交する方向の寸法を変化させる形状又は流路を曲げる形状等、ダクトの流路を変化させる形状に組み立てたのである。
【００１１】
また、他のダクト部材の接続口を複数設け、これらを連通させることにより、接続口に接続したダクト部材により形成される流路を、この構成部材を介して変化させるようにしたのである。
【００１２】
そして、接続するダクト部材が四角筒状である場合、これに対応して、前記接続口を四角形状としたのである。
【００１３】
また、前記ブランクを、継代片を介して接合することにより組み立てるものとし、気密性及び保形性を確保することとしたのである。
【００１４】
さらに、前記ブランクの材料として、段ボールにアルミ箔をラミネートしたものを用いることにより、不燃性や耐湿性を高めることとしたのである。
【発明の効果】
【００１５】
この段ボール製ダクトの構成部材では、段ボールのブランクを折り曲げて、角筒状のダクト部材に対応させ、流路を分岐させる形状、流路断面の流れ方向に直交する方向の寸法を変化させる形状又は流路を曲げる形状等、流路を変化させる形状としたので、多様なダクトルートを構成できる。
【００１６】
また、材料が段ボールであることから、軽量で施工性や断熱性に優れ、撤去時の廃棄も容易であり、再資源化を図ることもでき、段ボールにアルミ箔をラミネートすることにより、不燃性や耐湿性も確保できる。
【発明を実施するための最良の形態】
【００１７】
以下、この発明の実施の形態を添付図面に基づいて説明する。
【００１８】
図１に示すように、この発明に係る段ボール製ダクトの構成部材に接続する直管のダクト部材Ｄは、空調用として設置される四角筒状のものであり、その大きさは、組立状態において、例えば、内寸が３００ｍｍ×３００ｍｍとなるように設定されている。
【００１９】
このダクト部材Ｄを構成するブランクは、複両面段ボール１の両面に、接着剤、例えば熱可塑性樹脂であるポリエチレン２を介してアルミニウムを薄く延ばしたアルミ箔３をラミネートし、アルミ箔３の表面をニトロセルロース系樹脂のニス等の耐熱性を有する塗料４でコーティングしたものを材料とする。段ボール１の周縁は、片面に粘着力を付与したアルミテープ５でシールされている。
【００２０】
また、ブランクには、段ボール１の段目に直交する罫線を介して４枚の側面板６と一端の継代片７とが形成されている。ここで、段目とは、段ボールの中しんの波形のことをいい、段目の方向は、中しんの段頂の延びる方向で表すものである。
【００２１】
そして、このダクト部材Ｄの組み立てに際しては、ブランクを罫線に沿って折り曲げ、両面粘着テープとピン穴に差し込んだ締結具８により、継代片７と他端の側面板６とを重ねて接合し、その継目の外側をアルミテープ９でシールする。
【００２２】
上記のようなダクト部材に接続され、その流路を分岐させる段ボール製ダクトの構成部材として、分岐部材の第１実施形態を図２及び図３に基づいて説明する。
【００２３】
この分岐部材１１１は、図２に示すように、３本の段ボール製ダクト部材Ｄを接続するＴ字管状のものであり、両口部材１１２と片口部材１１３とを組み合わせて構成される。
【００２４】
両口部材１１２と片口部材１１３は、段ボールの両面にアルミ箔をラミネートし、周縁をアルミテープでシールした図３に示すようなブランクから形成される。段ボールとしては、Ａ段、Ｂ段等の単層のもののほか、これらを積層したものが使用される。
【００２５】
両口部材１１２のブランクは、Ｖ字状に切欠部が設けられた２枚の基板１１４と、その間の長方形の背板１１５とを罫線を介して連設し、一方の基板１１４の両肩部に２枚の脇板１１６及び継代片１１６ａを罫線を介して順次連設したものとされている。継代片１１６ａと反対側の基板１１４には、ピン穴Ｈが形成されている。
【００２６】
片口部材１１３のブランクは、一側がＶ字状に突出した２枚の基板１１７と、その間の側板１１８とを罫線を介して連設し、一方の基板１１７の端部に側板１１８及び継代片１１８ａが罫線を介して順次連設したものとされている。継代片１１８ａと反対側の基板１１７には、ピン穴Ｈが形成されている。
【００２７】
そして、図２に示すように、両口部材１１２は、ブランクを罫線沿いに四角筒状に折り曲げ、継代片１１６ａを反対側の基板１１４に接合して、両端に接続口Ｓを有する形状に組み立てられる。また、片口部材１１３は、ブランクを罫線沿いに四角筒状に折り曲げ、継代片１１８ａを反対側の基板１１７に接合して、両端に接続口Ｓを有する形状に組み立てられる。
【００２８】
ここで、両口部材１１２の継代片１１６ａと基板１１４、片口部材１１３の継代片１１８ａと基板１１７は、両面粘着テープに加えて、ピン穴Ｈに差し込んだ締結具により固定され、その継目の外側がアルミテープでシールされる。
【００２９】
この両口部材１１２と片口部材１１３とは、基板１１４のＶ字状の切欠部に基板１１７のＶ字状の突出部を嵌め込んで、継目をシールすることにより、一体化されて分岐部材１１１に組み立てられ、分岐部材１１１の内部では、３方の接続口Ｓが連通する。そして、各接続口Ｓにダクト部材Ｄを差し込んで接続することにより、ダクトの流路を分岐させることができる。
【００３０】
なお、両口部材１１２と片口部材１１３においては、基板１１４のＶ字状の切欠部と、基板１１７のＶ字状の突出部とを省略し、基板１１４，１１７の直線状の端縁同士を突き合わせるようにしてもよい。
【００３１】
次に、分岐部材の第２実施形態を図４及び図５に基づいて説明する。
【００３２】
この分岐部材１２１もまた、図４に示すように、３本の段ボール製ダクト部材Ｄを接続するＴ字管状のものであり、２枚の基板部材１２２と、１枚の背板１２３と、２枚のコーナー板１２４とを組み合わせて構成される。
【００３３】
基板部材１２２、背板１２３及びコーナー板１２４は、段ボールの両面にアルミ箔をラミネートし、周縁をアルミテープでシールした図５に示すようなブランクから成り、段ボールとしては、Ａ段、Ｂ段等の単層のもののほか、これらを積層したものが使用される。
【００３４】
基板部材１２２のブランクは、Ｔ字形の基板１２５の長辺に継代片１２５ａを、コーナー辺に継代片１２５ｂをそれぞれ罫線を介して連設したものとされている。継代片１２５ａ，１２５ｂには、ピン穴Ｈが形成されている。
【００３５】
また、背板１２３は、長い長方形状とされ、コーナー板１２４は、中間部に幅方向の罫線を有する短い長方形状とされている。背板１２３及びコーナー板１２４には、それぞれピン穴Ｈが形成されている。
【００３６】
そして、図４に示すように、基板部材１２２と背板１２３及びコーナー板１２４とは、基板１２５から継代片１２５ａ，１２５ｂを罫線沿いに折り曲げ、継代片１２５ａを背板１２３に、継代片１２５ｂを罫線沿いに屈曲させたコーナー板１２４にそれぞれ接合することにより、３方に接続口Ｓを有する分岐部材１２１に組み立てられる。
【００３７】
ここで、継代片１２５ａ，１２５ｂと背板１２３及びコーナー板１２４とは、両面粘着テープに加えて、ピン穴Ｈに差し込んだ締結具により固定され、その継目の外側がアルミテープでシールされる。
【００３８】
このように組み立てた分岐部材１２１では、内部で３方の接続口Ｓが連通し、各接続口Ｓにダクト部材Ｄを差し込んで接続することにより、ダクトの流路を分岐させることができる。
【００３９】
なお、この分岐部材１２１の内部において、背板１２３の中間部内面に沿って、対向する基板１２５間に亘るＶ字柱状のガイド部材を設けておき、このガイド部材により、流体の流れを誘導するようにしてもよい。
【００４０】
次に、分岐部材の第３実施形態を図６及び図７に基づいて説明する。
【００４１】
この分岐部材１３１もまた、図６に示すように、３本の段ボール製ダクト部材Ｄを接続するＴ字管状のものであり、１枚の基板部材１３２と、２枚のコーナー板１３３とを組み合わせて構成される。
【００４２】
基板部材１３２及びコーナー板１３３は、段ボールの両面にアルミ箔をラミネートし、周縁をアルミテープでシールした図７に示すようなブランクから形成される。段ボールとしては、Ａ段、Ｂ段等の単層のもののほか、これらを積層したものが使用される。
【００４３】
基板部材１３２のブランクは、外角部が斜めに切断された４枚のＬ字状の基板１３４を周方向に配置し、対向する基板１３４と、その間に配した背板１３５とを罫線を介して連設すると共に、隣り合う背板１３５をガイド板１３６を挟み罫線を介して連設し、ガイド板１３６の中央に罫線を入れ、各基板１３４のコーナー辺に継代片１３４ａをそれぞれ罫線を介して連設したものとされ、継代片１３４ａには、ピン穴Ｈが形成されている。
【００４４】
また、コーナー板１３３は、中央に幅方向の罫線を有する短い長方形状とされ、コーナー板１３３の中央罫線を挟んだ両側部分には、それぞれピン穴Ｈが形成されている。
【００４５】
そして、図６に示すように、基板部材１３２とコーナー板１３３とは、２枚の基板１３４と背板１３５とを罫線沿いに折り曲げ、ガイド板１３６をＶ字状に折り込み、対称な基板１３４の端縁同士を突き合わせ、各基板１３４から継代片１３４ａを罫線沿いに折り曲げて、各継代片１３４ａを罫線沿いに屈曲させたコーナー板１３３にそれぞれ接合することにより、３方に接続口Ｓを有する分岐部材１３１に組み立てられる。
【００４６】
ここで、継代片１３４ａとコーナー板１３３とは、両面粘着テープに加えて、ピン穴Ｈに差し込んだ締結具により固定され、その継目の外側がアルミテープでシールされる。
【００４７】
このように組み立てた分岐部材１３１では、内部で３方の接続口Ｓが連通し、各接続口Ｓにダクト部材Ｄを差し込んで接続することにより、ガイド板１３６で流体を導くようにして、ダクトの流路を分岐させることができる。
【００４８】
次に、分岐部材の第４実施形態を図８及び図９に基づいて説明する。
【００４９】
この分岐部材１４１は、図８に示すように、３本の段ボール製ダクト部材Ｄを接続するＹ字管状のものであり、２枚の基板部材１４２と、３枚のコーナー板１４３とを組み合わせて構成される。
【００５０】
基板部材１４２及びコーナー板１４３は、段ボールの両面にアルミ箔をラミネートし、周縁をアルミテープでシールした図９に示すようなブランクから形成される。段ボールとしては、Ａ段、Ｂ段等の単層のもののほか、これらを積層したものが使用される。
【００５１】
基板部材１４２のブランクは、Ｙ字形の基板１４４の各コーナー辺に継代片１４４ａを罫線を介して連設したものとされ、継代片１４４ａには、ピン穴Ｈが形成されている。
【００５２】
コーナー板１４３は、中央に幅方向の罫線を有する短い長方形状とされ、コーナー板１４３の中央罫線を挟んだ両側部分には、それぞれピン穴Ｈが形成されている。
【００５３】
そして、図８に示すように、基板部材１４２とコーナー板１４３とは、基板１４４から継代片１４４ａを罫線沿いに折り曲げ、継代片１４４ａを罫線沿いに屈曲させたコーナー板１４３にそれぞれ接合することにより、３方に接続口Ｓを有する分岐部材１４１に組み立てられる。
【００５４】
ここで、継代片１４４ａとコーナー板１４３とは、両面粘着テープに加えて、ピン穴Ｈに差し込んだ締結具により固定され、その継目の外側がアルミテープでシールされる。
【００５５】
このように組み立てた分岐部材１４１では、内部で３方の接続口Ｓが連通し、各接続口Ｓにダクト部材Ｄを差し込んで接続することにより、ダクトの流路を基板１４４の形状に従い所定の角度に分岐させることができる。
【００５６】
次に、分岐部材の第５実施形態を図１０及び図１１に基づいて説明する。
【００５７】
この分岐部材１５１は、図１０に示すように、３本の段ボール製ダクト部材Ｄを接続する立方体状のものであり、主部材１５２と副部材１５３とを組み合わせて構成される。
【００５８】
主部材１５２及び副部材１５３は、段ボールの両面にアルミ箔をラミネートし、周縁をアルミテープでシールした図１１に示すようなブランクから形成される。段ボールとしては、Ａ段、Ｂ段等の単層のもののほか、これらを積層したものが使用される。
【００５９】
主部材１５２のブランクは、３枚の側板１５４を罫線を介して連設し、各側板１５４の上下に蓋板１５５を罫線を介して連設し、両側の側板１５４の外側に継代片１５４ａを罫線を介して連設すると共に、各側板１５４に、正方形状の接続口Ｓを設け、接続口Ｓの両側縁に、ピン穴Ｈを有する接続片Ｆを突設したものとされている。
【００６０】
副部材１５３のブランクは、上記側板１５４と同一の大きさで開口部のない背板１５６の上下に、主部材１５２の蓋板１５５と同一の蓋板１５７を罫線を介して連設したものとされている。
【００６１】
そして、図１０に示すように、主部材１５２と副部材１５３とは、３枚の側板１５４を罫線沿いにコ字状に折り曲げ、継代片１５４ａを罫線沿いに内側へ折り曲げて背板１５６に接合し、蓋板１５５，１５７を貼り合わせ、接続片Ｆを外側へ折り曲げることにより、３方向に接続口Ｓを有する分岐部材１５１に組み立てられる。
【００６２】
このように組み立てた分岐部材１５１では、内部で３方向の接続口Ｓが連通し、各接続口Ｓにダクト部材Ｄを差し込んで、接続片Ｆのピン穴Ｈに差し込んだ締結具により固定接続することにより、ダクトの流路を分岐させることができる。
【００６３】
なお、この分岐部材１５１は、ブランク製造時の段ボールの使用条件上、主部材１５２と副部材１５３の２枚のブランクから成るものとしたが、これらが一体となった１枚のブランクから成るものとしてもよい。
【００６４】
次に、分岐部材の第６実施形態を図１２及び図１３に基づいて説明する。
【００６５】
この分岐部材１６１は、図１２に示すように、４本の段ボール製ダクト部材Ｄを水平及び上下方向に接続する立方体状のものであり、主部材１６２と副部材１６３とを組み合わせて構成される。
【００６６】
主部材１６２及び副部材１６３は、段ボールの両面にアルミ箔をラミネートし、周縁をアルミテープでシールした図１３に示すようなブランクから形成される。段ボールとしては、Ａ段、Ｂ段等の単層のもののほか、これらを積層したものが使用される。
【００６７】
主部材１６２のブランクは、３枚の側板１６４を罫線を介して連設し、各側板１６４の上端に枠板１６５を、下端に蓋板１６６をそれぞれ罫線を介して連設し、両側の側板１６４の外側縁に継代片１６４ａを罫線を介して連設し、各側板１６４に、正方形状の接続口Ｓを設け、接続口Ｓの両側縁に、ピン穴Ｈを有する接続片Ｆを突設し、また、枠板１６５に、正方形を半分にした先端からの切込による接続口Ｓを設け、中央に位置する枠板１６５の接続口Ｓの一端縁に、ピン穴Ｈを有する接続片Ｆを突設したものとされている。
【００６８】
副部材１６３のブランクは、主部材１６２の側板１６４と同一の大きさで開口部のない背板１６７の上端に枠板１６８を、下端に蓋板１６９をそれぞれ罫線を介して連設し、枠板１６８に、正方形を半分にした先端からの切込による接続口Ｓを設け、接続口Ｓの一端縁に、ピン穴Ｈを有する接続片Ｆを突設したものとされている。
【００６９】
そして、図１２に示すように、主部材１６２と副部材１６３とは、３枚の側板１６４を罫線沿いにコ字状に折り曲げ、継代片１６４ａを罫線沿いに内側へ折り曲げて背板１６７に接合し、蓋板１６６，１６９を貼り合わせると共に、枠板１６５，１６８を貼り合わせて、接続片Ｆを外側へ折り曲げることにより、４方向に接続口Ｓを有する分岐部材１６１に組み立てられる。
【００７０】
このように組み立てた分岐部材１６１では、内部で４方向の接続口Ｓが連通し、各接続口Ｓにダクト部材Ｄを差し込んで、接続片Ｆのピン穴Ｈに差し込んだ締結具により固定接続することにより、ダクトの流路を水平方向だけでなく、上下方向へも分岐させることができる。
【００７１】
なお、この分岐部材１６１は、ブランク製造時の段ボールの使用条件上、主部材１６２と副部材１６３の２枚のブランクから成るものとしたが、これらが一体となった１枚のブランクから成るものとしてもよい。
【００７２】
次に、分岐部材の第７実施形態を図１４及び図１５に基づいて説明する。
【００７３】
この分岐部材１７１は、図１４に示すように、２本の段ボール製ダクト部材Ｄ及び１本の紙管製ダクト部材Ｐを接続する立方体状のものであり、主部材１７２と副部材１７３とを組み合わせて構成される。
【００７４】
主部材１７２及び副部材１７３は、段ボールの両面にアルミ箔をラミネートし、周縁をアルミテープでシールした図１５に示すようなブランクから形成される。段ボールとしては、Ａ段、Ｂ段等の単層のもののほか、これらを積層したものが使用される。
【００７５】
主部材１７２のブランクは、円形の貫穴１７４ａを有する側板１７４の両側に、正方形状の接続口Ｓを有する側板１７５を罫線を介して連設し、各側板１７４，１７５の上下に蓋板１７６を連設すると共に、両側の側板１７５の外側縁に継代片１７５ａを罫線を介して連設し、接続口Ｓの両側縁に、ピン穴Ｈを有する接続片Ｆを突設し、貫穴１７４ａの周囲に、複数のピン穴Ｈを周方向に間隔をあけて設けたものとされている。
【００７６】
副部材１７３のブランクは、上記側板１７４，１７５と同一の大きさで開口部のない背板１７７の上下に、主部材１７２の蓋板１７６と同一の蓋板１７８を罫線を介して連設したものとされている。
【００７７】
そして、図１４に示すように、主部材１７２と副部材１７３とは、側板１７４，１７５を罫線沿いにコ字状に折り曲げ、継代片１７５ａを罫線沿いに内側へ折り曲げて背板１７７に接合し、蓋板１７６，１７８を貼り合わせ、貫穴１７４ａに金属製のフランジ部材１７９を挿通してピン穴Ｈに差し込んだ締結具により取り付け、接続片Ｆを外側へ折り曲げることにより、２方向に接続口Ｓを、１方向に接続口Ｒを有する分岐部材１７１に組み立てられる。
【００７８】
このように組み立てた分岐部材１７１では、内部で２方向の接続口Ｓと１方向の接続口Ｒとが連通し、接続口Ｓに段ボール製ダクト部材Ｄを差し込んで、接続片Ｆのピン穴Ｈに差し込んだ締結具により固定接続し、接続口Ｒに紙管製ダクト部材Ｐを差し込んで、接着剤等で固定接続することにより、ダクトの流路を分岐させることができる。
【００７９】
なお、この分岐部材１７１は、ブランク製造時の段ボールの使用条件上、主部材１７２と副部材１７３の２枚のブランクから成るものとしたが、これらが一体となった１枚のブランクから成るものとしてもよい。また、１本の段ボール製ダクト部材Ｄと２本の紙管製ダクト部材Ｐを接続する構成としてもよい。
【００８０】
次に、分岐部材の第８実施形態を図１６及び図１７に基づいて説明する。
【００８１】
この分岐部材１８１は、図１６に示すように、１本の大きい段ボール製ダクト部材Ｄと２本の小さい段ボール製ダクト部材Ｃとを接続する立方体状のものである。
【００８２】
そして、このような分岐部材１８１は、段ボールの両面にアルミ箔をラミネートし、周縁をアルミテープでシールした図１７に示すようなブランクから形成される。段ボールとしては、Ａ段、Ｂ段等の単層のもののほか、これらを積層したものが使用される。
【００８３】
分岐部材１８１のブランクは、４枚の側板１８２を罫線を介して一列に連設し、図の方向において、各側板１８２の下端に枠板１８３を、上端に交互に並んだ枠板１８４及び受止板１８５をそれぞれ罫線を介して連設し、一側の側板１８２の外側縁に継代片１８２ａを、各枠板１８４の先端に差込片１８４ａをそれぞれ罫線を介して連設し、受止板１８５の中央部に切溝１８５ａを設け、各枠板１８３に、正方形を半分にした先端からの切込による接続口Ｓを設け、また、枠板１８４に、長方形の接続口Ｔを設け、接続口Ｓの一端縁及び接続口Ｔの両端縁に、ピン穴Ｈを有する接続片Ｆを突設したものとされている。
【００８４】
そして、図１６に示すように、このブランクは、４枚の側板１８２を罫線沿いにロ字状に折り曲げ、継代片１８２ａを罫線沿いに内側へ折り曲げて、反対側の側板１８２に接合し、枠板１８３を貼り合わせ、受止板１８５を内側へ折り曲げ、差込片１８４ａ同士を重ね合わせて切溝１８５ａに差し込みつつ、枠板１８４を受止板１８５に貼り付け、接続片Ｆを外側へ折り曲げることにより、１つの大きな正方形の接続口Ｓと、２つの小さな長方形の接続口Ｔとを対向面に有する分岐部材１８１に組み立てられる。
【００８５】
このように組み立てた分岐部材１８１では、内部で１つの接続口Ｓと二つの接続口Ｔとが連通し、接続口Ｓにダクト部材Ｄを差し込むと共に、各接続口Ｔにダクト部材Ｃをそれぞれ差し込んで、接続片Ｆのピン穴Ｈに差し込んだ締結具で固定接続することにより、ダクトの流路を分岐させることができる。このため、ダクトルートに板状物や並列するワイヤ等の障害物があっても、２本のダクト部材Ｃの間に障害物が挟まれるようにして、ダクト部材Ｃをダクトルートの基準範囲から張り出させることなく、配管することができる。このとき、２本のダクト部材Ｃは、横方向に並べても縦方向に並べてもよい。
【００８６】
次に、図１に示すダクト部材に接続され、流路の断面積又は断面形状を変化させる段ボール製ダクトの構成部材として、流路断面変化部材の第１実施形態を図１８及び図１９に基づいて説明する。
【００８７】
この流路断面変化部材２１１は、図１８に示すように、断面積の異なる２本の段ボール製ダクト部材Ｄ１ ，Ｄ２ を接続するものであり、図１９に示す各２枚の側板部材２１２，２１３を組み合わせて構成される。
【００８８】
側板部材２１２，２１３は、段ボールの両面にアルミ箔をラミネートし、周縁をアルミテープでシールしたブランクから形成される。段ボールとしては、Ａ段、Ｂ段等の単層のもののほか、これらを積層したものが使用される。
【００８９】
側板部材２１２のブランクは、両端間の幅が広い長方形の広側板２１４と、テーパ状に幅が変化するテーパ側板２１５と、幅が狭い長方形の狭側板２１６とを罫線を介して連設し、これらの両端にピン穴Ｈを有する継代片２１４ａ，２１５ａ，２１６ａを罫線を介してそれぞれ連設したものとされている。
【００９０】
側板部材２１３のブランクは、両端間の幅が広い長方形の広側板２１７と、テーパ状に幅が変化するテーパ側板２１８と、幅が狭い長方形の狭側板２１９とを罫線を介して連設し、これらの両端部にピン穴Ｈを設けたものとされている。
【００９１】
そして、図１８に示すように、側板部材２１２，２１３は、側板部材２１２の広側板２１４、テーパ側板２１５及び狭側板２１６から継代片２１４ａ，２１５ａ，２１６ａをそれぞれ罫線沿いに折り曲げて、これらを側板部材２１３の広側板２１７、テーパ側板２１８及び狭側板２１９にそれぞれ接合することにより、両端に接続口Ｓ１ ，Ｓ２ を有する流路断面変化部材２１１に組み立てられる。
【００９２】
ここで、継代片２１４ａ，２１５ａ，２１６ａと広側板２１７、テーパ側板２１８及び狭側板２１９とは、両面粘着テープに加えて、ピン穴Ｈに差し込んだ締結具により固定され、その継目の外側がアルミテープでシールされる。
【００９３】
このように組み立てた流路断面変化部材２１１では、一端の開口面積が大きい接続口Ｓ１ と他端の開口面積が小さい接続口Ｓ２ とが連通し、接続口Ｓ１ ，Ｓ２ に大小のダクト部材Ｄ１ ，Ｄ２ を差し込んで接続することにより、ダクトの流路断面積を変化させることができる。
【００９４】
次に、流路断面変化部材の第２実施形態を図２０及び図２１に基づいて説明する。
【００９５】
この流路断面変化部材２２１もまた、図２０に示すように、断面積の異なる２本の段ボール製ダクト部材Ｄ１ ，Ｄ２ を接続するものであり、段ボールの両面にアルミ箔をラミネートし、周縁をアルミテープでシールした図２１に示すブランクから形成される。段ボールとしては、Ａ段、Ｂ段等の単層のもののほか、これらを積層したものが使用される。
【００９６】
この流路断面変化部材２２１のブランクは、４枚の外面板２２２を罫線を介して一列に連設し、その一端にピン穴Ｈを有する継代片２２２ａを罫線を介して連設すると共に、他端の外面板２２２にピン穴Ｈを設け、各外面板２２２の一側に額縁板２２３、内面板２２４、傾斜板２２５及び巻込板２２６を罫線を介して順次連設したものとされている。
【００９７】
また、内面板２２４より巻込板２２６は長く、組立時に一方の対向位置となる額縁板２２３、内面板２２４及び巻込板２２６の幅は広く、他方の対向位置となる額縁板２２３、内面板２２４及び巻込板２２６の幅は狭くなっており、幅の狭い内面板２２４から巻込板２２６へかけて、傾斜板２２５の幅はテーパ状に迫り出すように広くなっている。
【００９８】
そして、図２０に示すように、４枚の外面板２２２を筒状に折り曲げて、継代片２２２ａを反対側の外面板２２２に貼り付け、額縁板２２３、内面板２２４、傾斜板２２５及び巻込板２２６を巻き込むように折り曲げると、幅の狭い内面板２２４の両側縁が幅の広い内面板２２４に当接し、傾斜板２２５が外面板２２２から内面板２２４側へかけて内側へ傾斜して、両端に接続口Ｓ１ ，Ｓ２ を有する流路断面変化部材２２１に組み立てられる。
【００９９】
ここで、継代片２２２ａと外面板２２２とは、両面粘着テープに加えて、ピン穴Ｈに差し込んだ締結具により固定され、その継目の外側がアルミテープでシールされる。
【０１００】
このように組み立てた流路断面変化部材２２１では、一端の開口面積が大きい接続口Ｓ１ と他端の開口面積が小さい接続口Ｓ２ とが連通し、接続口Ｓ１ ，Ｓ２ に大小のダクト部材Ｄ１ ，Ｄ２ を差し込んで接続することにより、ダクトの流路断面積を変化させることができる。
【０１０１】
次に、流路断面変化部材の第３実施形態を図２２及び図２３に基づいて説明する。
【０１０２】
この流路断面変化部材２３１もまた、図２２に示すように、断面積の異なる２本の段ボール製ダクト部材Ｄ１ ，Ｄ２ を接続するものであり、段ボールの両面にアルミ箔をラミネートし、周縁をアルミテープでシールした図２３に示すブランクから形成される。段ボールとしては、Ａ段、Ｂ段等の単層のもののほか、これらを積層したものが使用される。
【０１０３】
この流路断面変化部材２３１のブランクは、底辺が短い二等辺三角形の側板２３２と、底辺が長い二等辺三角形の側板２３３とを、その斜辺に相当する罫線を介して４枚ずつ交互に向きを変えて連設し、一端の側板２３３の外側の斜辺に罫線を介してピン穴Ｈを有する継代片２３３ａを連設し、他端の側板２３２にピン穴Ｈを設けたものとされている。
【０１０４】
そして、図２２に示すように、各４枚の側面板２３２，２３３を罫線沿いに環状に折り曲げ、継代片２３３ａを罫線沿いに折り曲げて反対側の側板２３２に貼り付けると、両端に４５°捻られた接続口Ｓ１ ，Ｓ２ を有する流路断面変化部材２３１に組み立てられる。
【０１０５】
ここで、継代片２３３ａと側板２３２とは、両面粘着テープに加えて、ピン穴Ｈに差し込んだ締結具により固定され、その継目の外側がアルミテープでシールされる。
【０１０６】
このように組み立てた流路断面変化部材２３１では、一端の開口面積が大きい接続口Ｓ１ と他端の開口面積が小さい接続口Ｓ２ とが連通し、接続口Ｓ１ ，Ｓ２ に大小のダクト部材Ｄ１ ，Ｄ２ を差し込んで接続することにより、ダクトの流路断面積を変化させることができる。
【０１０７】
次に、流路断面変化部材の第４実施形態を図２４及び図２５に基づいて説明する。
【０１０８】
この流路断面変化部材２４１もまた、図２４に示すように、断面積の異なる２本の段ボール製ダクト部材Ｄ１ ，Ｄ２ を接続するものであり、段ボールの両面にアルミ箔をラミネートし、周縁をアルミテープでシールした図２５に示すブランクから形成される。段ボールとしては、Ａ段、Ｂ段等の単層のもののほか、これらを積層したものが使用される。
【０１０９】
この流路断面変化部材２４１のブランクは、正三角形の側板２４２を罫線を介して８枚ずつ交互に向きを変えて連設すると共に、一端の側板２４２の外側に罫線を介してピン穴Ｈを有する継代片２４２ａを連設すると共に、他端の側板２４２にピン穴Ｈを設け、同方向に向いた４枚の側板２４２の一辺に、扁平な二等辺三角形の側板２４３をその底辺となる罫線を介して連設し、各側板２４３にその一方の斜辺となる罫線を介して正三角形の側板２４４を連設したものとされている。
【０１１０】
そして、図２４に示すように、８枚の側板２４２を罫線沿いに環状に折り曲げ、継代片２４２ａを罫線沿いに折り曲げて反対側の側板２４２に貼り付け、側板２４２，２４３の稜部を罫線沿いに谷折りし、側板２４３，２４４の稜部を罫線沿いに山折りして、隣接する側板２４３，２４４の開放辺同士を接合すると、両端に接続口Ｓ１ ，Ｓ２ を有する流路断面変化部材２４１に組み立てられる。
【０１１１】
ここで、継代片２４２ａと側板２４２とは、両面粘着テープに加えて、ピン穴Ｈに差し込んだ締結具により固定され、その継目の外側がアルミテープでシールされる。
【０１１２】
このように組み立てた流路断面変化部材２４１では、一端の開口面積が大きい接続口Ｓ１ と他端の開口面積が小さい接続口Ｓ２ とが連通し、接続口Ｓ１ ，Ｓ２ に大小のダクト部材Ｄ１ ，Ｄ２ を差し込んで接続することにより、ダクトの流路断面積を変化させることができる。
【０１１３】
ところで、上記各実施形態では、接続口Ｓ１ ，Ｓ２ が共に正方形で開口面積の異なるものを例示したが、これらの実施形態の技術を応用することにより、接続するダクト部材の形状に応じて、接続口Ｓ１ ，Ｓ２ の開口面積を変えることなく、縦横の寸法比率のみを変えた流路断面変化部材を形成することもできる。
【０１１４】
次に、図１に示すダクト部材に接続され、その流路を曲げる段ボール製ダクトの構成部材として、曲がり部材の第１実施形態を図２６及び図２７に基づいて説明する。
【０１１５】
この曲がり部材３１１は、図２６に示すように、２本の段ボール製ダクト部材Ｄを直角に方向を変えて接続するエルボ型のものであり、２枚の基板部材３１２と、各１枚の外側板３１３及び内側板３１４とを組み合わせて構成される。
【０１１６】
基板部材３１２、外側板３１３及び内側板３１４は、段ボールの両面にアルミ箔をラミネートし、周縁をアルミテープでシールした図２７に示すブランクから形成される。段ボールとしては、Ａ段、Ｂ段等の単層のもののほか、これらを積層したものが使用される。
【０１１７】
基板部材３１２のブランクは、一方向に長い変形六角形の基板３１５において、一方の長辺とその両側の短辺に罫線を介してピン穴Ｈを有する継代片３１５ａを連設し、他方の長辺に罫線を介して継代片３１５ｂを連設したものとされている。
【０１１８】
外側板３１３のブランクは、長い長方形に幅方向の２本の罫線を間隔をあけて入れたものとされ、内側板３１４のブランクは、短い長方形とされている。外側板３１３及び内側板３１４の長辺に沿った端縁部には、ピン穴Ｈが設けられている。
【０１１９】
そして、図２６に示すように、基板部材３１２と外側板３１３及び内側板３１４とは、基板３１５から継代片３１５ａ，３１５ｂを罫線沿いに折り曲げ、外側板３１３を罫線沿いに屈曲させ、継代片３１５ａを外側板３１３に、継代片３１５ｂを内側板３１４にそれぞれ接合することにより、両端に接続口Ｓを有し、流路を直角に曲げる曲がり部材３１１に組み立てられる。
【０１２０】
ここで、継代片３１５ａ，３１５ｂと外側板３１３及び内側板３１４とは、両面粘着テープに加えて、ピン穴Ｈに差し込んだ締結具により固定され、その継目の外側がアルミテープでシールされる。
【０１２１】
このように組み立てた曲がり部材３１１では、内部で両端の接続口Ｓが連通し、各接続口Ｓにダクト部材Ｄを差し込んで接続することにより、ダクトの流路を直角に曲げて、流れ方向を変えることができる。
【０１２２】
次に、曲がり部材の第２実施形態を図２８及び図２９に基づいて説明する。
【０１２３】
この曲がり部材３２１もまた、図２８に示すように、２本の段ボール製ダクト部材Ｄを直角に方向を変えて接続するエルボ型のものであり、２枚の基板部材３２２と、各１枚の外側板３２３及び内側板３２４とを組み合わせて構成される。
【０１２４】
基板部材３２２、外側板３２３及び内側板３２４は、段ボールの両面にアルミ箔をラミネートし、周縁をアルミテープでシールした図２９に示すブランクから形成される。段ボールとしては、Ａ段、Ｂ段等の単層のもののほか、これらを積層したものが使用される。
【０１２５】
基板部材３２２のブランクは、外角部が斜辺となったＬ字状の基板３２５において、その外側の各辺にピン穴Ｈを有する継代片３２５ａを、内側の各辺にピン穴Ｈを有する継代片３２５ｂをそれぞれ罫線を介して連設したものとされている。
【０１２６】
また、外側板３２３のブランクは、長い長方形に幅方向の２本の罫線を間隔をあけて入れたものとされ、内側板３２４のブランクは、短い長方形の中央に幅方向の罫線を１本入れたものとされている。外側板３２３及び内側板３２４の長辺に沿った端縁部には、ピン穴Ｈが設けられている。
【０１２７】
そして、図２８に示すように、基板部材３２２と外側板３２３及び内側板３２４とは、基板３２５から継代片３２５ａ，３２５ｂを罫線沿いに折り曲げ、継代片３２５ａ，３２５ｂをそれぞれ罫線沿いに屈曲させた外側板３２３及び内側板３２４に接合することにより、両端に接続口Ｓを有し、流路を直角に曲げる曲がり部材３２１に組み立てられる。
【０１２８】
ここで、継代片３２５ａ，３２５ｂと外側板３２３及び内側板３２４とは、両面粘着テープに加えて、ピン穴Ｈに差し込んだ締結具により固定され、その継目の外側がアルミテープでシールされる。
【０１２９】
このように組み立てた曲がり部材３２１では、内部で両端の接続口Ｓが連通し、各接続口Ｓにダクト部材Ｄを差し込んで接続することにより、ダクトの流路を直角に曲げて、流れ方向を変えることができる。
【０１３０】
次に、曲がり部材の第３実施形態を図３０及び図３１に基づいて説明する。
【０１３１】
この曲がり部材３３１もまた、図３０に示すように、２本の段ボール製ダクト部材Ｄを直角に方向を変えて接続するエルボ型のものであり、基板部材３３２と、外覆板３３３及び内覆板３３４とを組み合わせて構成される。
【０１３２】
基板部材３３２、外覆板３３３及び内覆板３３４は、段ボールの両面にアルミ箔をラミネートし、周縁をアルミテープでシールした図３１に示すブランクから形成される。段ボールとしては、Ａ段、Ｂ段等の単層のもののほか、これらを積層したものが使用される。
【０１３３】
基板部材３３２のブランクは、隣り合う辺がＶ字状をなす３枚の台形状の基板３３５を２列に配置し、その底辺間に外側板３３６を介在させて、各基板３３５と外側板３３６の境界及び隣接する外側板３３６の境界に罫線を入れ、一方の列の各基板３３５の頂辺に内側板３３７及び継代片３３７ａを罫線を介して順次連設したものとされている。継代片３３７ａ及び他方の列の各基板３３５には、ピン穴Ｈが設けられている。
【０１３４】
また、外覆板３３３のブランクは、長い長方形に幅方向の２本の罫線を間隔をあけて入れたものとされ、内覆板３３４のブランクは、短い長方形に幅方向の２本の罫線を間隔をあけて入れたものとされている。
【０１３５】
基板部材３３２のブランクを組み立てるには、図３０に示すように、２列をなす基板３３５、外側板３３６及び内側板３３７を罫線沿いに四角筒状に折り曲げ、継代片３３７ａを罫線沿いに折り曲げて反対側の基板３３５に接合し、外側板３３６の境界を罫線沿いに屈曲させ、隣り合う基板３３５及び内側板３３７の端縁同士を突き合わせて接合する。
【０１３６】
ここで、継代片３３７ａと基板３３５とは、両面粘着テープに加えて、ピン穴Ｈに差し込んだ締結具により固定され、その継目の外側がアルミテープでシールされる。
【０１３７】
そして、基板部材３３２と外覆板３３３及び内覆板３３４とは、それぞれ４５°の角度をなして隣接する各３枚の外側板３３６及び内側板３３７の表面に亘って、外覆板３３３及び内覆板３３４を罫線沿いに屈曲させて貼り合わせることにより、両端に接続口Ｓを有し、流路を直角に曲げる曲がり部材３３１に組み立てられる。
【０１３８】
このように組み立てた曲がり部材３３１では、内部で両端の接続口Ｓが連通し、各接続口Ｓにダクト部材Ｄを差し込んで接続することにより、ダクトの流路を直角に曲げて、流れ方向を変えることができる。また、外覆板３３３及び内覆板３３４とにより、屈曲した壁面の接合部での結露や流体の漏れを防ぐことができる。
【０１３９】
次に、曲がり部材の第４実施形態を図３２及び図３３に基づいて説明する。
【０１４０】
この曲がり部材３４１は、図３２に示すように、２本の段ボール製ダクト部材Ｄを平行に位置をずらした状態で接続するＳ字型のものであり、段ボールの両面にアルミ箔をラミネートし、周縁をアルミテープでシールした図３３に示すブランクから形成される。段ボールとしては、Ａ段、Ｂ段等の単層のもののほか、これらを積層したものが使用される。
【０１４１】
この曲がり部材３４１のブランクは、平行四辺形の基板３４２と、その両側の一辺が垂直な台形の基板３４２とを、隣り合う斜辺がＶ字状をなすように２列に配置し、各列の対応する基板３４２の間に罫線を境界として方形の側板３４３を介在させ、隣接する側板３４３の境界に罫線を入れ、一列の側板３４３にピン穴Ｈを有する継代片３４３ａを罫線を介して連設すると共に、その反対側の基板３４２にピン穴Ｈを設けたものとされている。
【０１４２】
そして、図３２に示すように、各列の基板３４２及び側板３４３を罫線沿いに四角筒状に折り曲げ、継代片３４３ａを罫線沿いに折り曲げて反対側の基板３４２に接合し、隣接する側板３４３を罫線沿いに屈曲させ、分断されて隣り合う基板３４２及び側板３４３の端縁同士を突き合わせて接合すると、両端に接続口Ｓを有し、流路をＳ字状に曲げる曲がり部材３４１に組み立てられる。
【０１４３】
ここで、継代片３４３ａと基板３４２とは、両面粘着テープに加えて、ピン穴Ｈに差し込んだ締結具により固定され、その継目の外側がアルミテープでシールされる。
【０１４４】
このように組み立てた曲がり部材３４１では、内部で両端の接続口Ｓが連通し、各接続口Ｓにダクト部材Ｄを差し込んで接続することにより、ダクトの流路をＳ字状に曲げて、障害物等を回避するように、流れ方向を変えることができる。
【０１４５】
ところで、上記各実施形態では、段ボール製ダクトの流路をＬ字状に直角に曲げるもの及びＳ字状に曲げるものを例示したが、これらの実施形態の技術を応用することにより、その他の任意の角度に流路を曲げることができ、多様な配管が可能となる。
【図面の簡単な説明】
【０１４６】
【図１】この発明に係る段ボール製ダクトの構成部材に接続するダクト部材の斜視図
【図２】分岐部材の第１実施形態の斜視図
【図３】同上のブランクを示す図
【図４】分岐部材の第２実施形態の斜視図
【図５】同上のブランクを示す図
【図６】分岐部材の第３実施形態の斜視図
【図７】同上のブランクを示す図
【図８】分岐部材の第４実施形態の斜視図
【図９】同上のブランクを示す図
【図１０】分岐部材の第５実施形態の斜視図
【図１１】同上のブランクを示す図
【図１２】分岐部材の第６実施形態の斜視図
【図１３】同上のブランクを示す図
【図１４】分岐部材の第７実施形態の斜視図
【図１５】同上のブランクを示す図
【図１６】分岐部材の第８実施形態の斜視図
【図１７】同上のブランクを示す図
【図１８】流路断面変化部材の第１実施形態の斜視図
【図１９】同上のブランクを示す図
【図２０】流路断面変化部材の第２実施形態の斜視図
【図２１】同上のブランクを示す図
【図２２】流路断面変化部材の第３実施形態の斜視図
【図２３】同上のブランクを示す図
【図２４】流路断面変化部材の第４実施形態の斜視図
【図２５】同上のブランクを示す図
【図２６】曲がり部材の第１実施形態の斜視図
【図２７】同上のブランクを示す図
【図２８】曲がり部材の第２実施形態の斜視図
【図２９】同上のブランクを示す図
【図３０】曲がり部材の第３実施形態の斜視図
【図３１】同上のブランクを示す図
【図３２】曲がり部材の第４実施形態の斜視図
【図３３】同上のブランクを示す図
【符号の説明】
【０１４７】
Ｄ  ダクト部材
Ｓ，Ｒ，Ｔ  接続口
Ｆ  接続片
Ｈ  ピン穴
１  段ボール
２  ポリエチレン
３  アルミ箔
４  塗料
５  アルミテープ
６  側面板
７  継代片
８  締結具
９  アルミテープ
１１１  分岐部材
１１２  両口部材
１１３  片口部材
１１４  基板
１１５  背板
１１６  脇板
１１６ａ  継代片
１１７  基板
１１８  側板
１１８ａ  継代片
１２１  分岐部材
１２２  基板部材
１２３  背板
１２４  コーナー板
１２５  基板
１２５ａ，１２５ｂ  継代片
１３１  分岐部材
１３２  基板部材
１３３  コーナー板
１３４  基板
１３４ａ  継代片
１３５  背板
１３６  ガイド板
１４１  分岐部材
１４２  基板部材
１４３  コーナー板
１４４  基板
１４４ａ  継代片
１５１  分岐部材
１５２  主部材
１５３  副部材
１５４  側板
１５４ａ  継代片
１５５  蓋板
１５６  背板
１５７  蓋板
１６１  分岐部材
１６２  主部材
１６３  副部材
１６４  側板
１６４ａ  継代片
１６５  枠板
１６６  蓋板
１６７  背板
１６８  枠板
１６９  蓋板
１７１  分岐部材
１７２  主部材
１７３  副部材
１７４  側板
１７４ａ  貫穴
１７５  側板
１７５ａ  継代片
１７６  蓋板
１７７  背板
１７８  蓋板
１８１  分岐部材
１８２  側板
１８３，１８４  枠板
１８４ａ  差込片
１８５  受止板
１８５ａ  切溝
２１１  流路断面変化部材
２１２，２１３  側板部材
２１４  広側板
２１５  テーパ側板
２１６  狭側板
２１４ａ，２１５ａ，２１６ａ  継代片
２１７  広側板
２１８  テーパ側板
２１９  狭側板
２２１  流路断面変化部材
２２２  外面板
２２２ａ  継代片
２２３  額縁板
２２４  内面板
２２５  傾斜板
２２６  巻込板
２３１  流路断面変化部材
２３２，２３３  側板
２３３ａ  継代片
２４１  流路断面変化部材
２４２，２４３，２４４  側板
２４２ａ  継代片
３１１  曲がり部材
３１２  基板部材
３１３  外側板
３１４  内側板
３１５  基板
３１５ａ，３１５ｂ  継代片
３２１  曲がり部材
３２２  基板部材
３２３  外側板
３２４  内側板
３２５  基板
３２５ａ，３２５ｂ  継代片
３３１  曲がり部材
３３２  基板部材
３３３  外覆板
３３４  内覆板
３３４ａ  継代片
３３５  基板
３３６  外側板
３３７  内側板
３３７ａ  継代片
３４１  曲がり部材
３４２  基板
３４３  側板
３４３ａ  継代片
【図１】
2008170067.tif 000003
【図２】
2008170067.tif 000004
【図３】
2008170067.tif 000005
【図４】
2008170067.tif 000006
【図５】
2008170067.tif 000007
【図６】
2008170067.tif 000008
【図７】
2008170067.tif 000009
【図８】
2008170067.tif 000010
【図９】
2008170067.tif 000011
【図１０】
2008170067.tif 000012
【図１１】
2008170067.tif 000013
【図１２】
2008170067.tif 000014
【図１３】
2008170067.tif 000015
【図１４】
2008170067.tif 000016
【図１５】
2008170067.tif 000017
【図１６】
2008170067.tif 000018
【図１７】
2008170067.tif 000019
【図１８】
2008170067.tif 000020
【図１９】
2008170067.tif 000021
【図２０】
2008170067.tif 000022
【図２１】
2008170067.tif 000023
【図２２】
2008170067.tif 000024
【図２３】
2008170067.tif 000025
【図２４】
2008170067.tif 000026
【図２５】
2008170067.tif 000027
【図２６】
2008170067.tif 000028
【図２７】
2008170067.tif 000029
【図２８】
2008170067.tif 000030
【図２９】
2008170067.tif 000031
【図３０】
2008170067.tif 000032
【図３１】
2008170067.tif 000033
【図３２】
2008170067.tif 000034
【図３３】
2008170067.tif 000035